【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】  結像レンズ系及びその像側に配された撮像領域を規定する手段を有する撮像装置において、
前記結像レンズ系が、正のパワーのレンズ群と負のパワーのレンズ群を含む少なくとも３つのレンズ群を有し、各レンズ群間隔を変化させることで変倍を行うズームレンズ系であり、
前記ズームレンズ系の全レンズ枚数を８枚以下で構成し、
前記ズームレンズ系の望遠端におけるｄ線での後側焦点位置とｇ線での後側焦点位置の差をδg 、像面における最大像高をＩＨ、広角端及び望遠端におけるｄ線でのＦナンバーをそれぞれWideFno 、 TeleFno、広角端での画角２８．０°におけるｄ線でのディストーション量を DTLw としたとき、以下の条件を満足することを特徴とする撮像装置。
０．０７＜δg ／ＩＨ＜０．２３                        ・・・（１）
１．８＜TeleFno ／WideFno ＜３                        ・・・（２）
−８％＜ DTLw ＜８％                                  ・・・（３）
【請求項２】  前記像面における最大像高ＩＨが以下の条件を満足することを特徴とする請求項１記載の撮像装置。
２０ｍｍ＜ＩＨ＜２５ｍｍ                              ・・・（８）
【請求項３】  前記負のパワーのレンズ群の少なくとも１つのレンズ群は、光軸上でのパワーが負となる複数の負レンズのみにて構成され、かつ、前記複数の負レンズの中の少なくとも１枚の負レンズは、周辺に向かうに従って負のパワーから正のパワーに変化する非球面レンズであり、前記複数の負レンズの中の前記非球面レンズとは異なる少なくとも１枚の負レンズは、中心乃至周辺で負のパワーを維持する負レンズであることを特徴とする請求項１又は２記載の撮像装置。
【請求項４】  前記非球面レンズが以下の条件式を満足することを特徴とする請求項３記載の撮像装置。
１０＜ｆasp ／ｆN ＜１００                            ・・・（４）
ただし、ｆasp は非球面レンズの光軸上の焦点距離、ｆN は非球面レンズを含む負のパワーのレンズ群の光軸上の焦点距離である。
【請求項５】  前記結像レンズ系が、物体側から順に、正のパワーのレンズ群、正のパワーのレンズ群、負のパワーのレンズ群からなり、各レンズ群間を変化させて変倍を行う３群ズームレンズであり、以下の条件を満足することを特徴とする請求項１から４の何れか１項に記載の撮像装置。
０．５５＜Ｌt ／ｆt ＜０．７１５                      ・・・（５）
ただし、Ｌt は結像レンズ系の望遠端における最も物体側の面から像面までの実距離、ｆt は結像レンズ系の望遠端での合成焦点距離である。
【請求項６】  複数のレンズからなり非球面レンズを有する結像レンズ系において、
前記非球面レンズの何れか１枚の入射側面又は射出側面のどちらか一方のレンズ面が非球面であり、その非球面のレンズ面の光軸からの距離の最大値をＹmax 、Ｙmax におけるレンズ面頂を含む光軸に垂直な平面からの距離の絶対値をΔＺmax 、前記最大値Ｙmax の半分の距離における、レンズ面頂を含む光軸に垂直な平面からの距離の絶対値をΔＺhalfとしたとき、以下の条件（６）、（７）を満足することを特徴とする結像レンズ系。
０．４＞（ΔＺmax −ΔＺhalf）／Ｙmax ＞０．１８      ・・・（６）
０．０５＞ΔＺhalf／Ｙmax ≧0                         ・・・（７）
ただし、レンズ面とは、有効径内を含む面形状が連続して続く全領域を示し、その領域と面形状が不連続になる部分との境界までを示す。
【請求項７】  以下の条件式（６’）、（７’）の何れかを満足することを特徴とする請求項６記載の結像レンズ系。
０．４＞（ΔＺmax −ΔＺhalf）／Ｙmax ＞０．２０    ・・・（６' ）
０．０３＞ΔＺhalf／Ｙmax ≧0                       ・・・（７' ）
【請求項８】  請求項６又は７記載の結像レンズ系と、その像側に配された撮像領域を規定する手段を有し、
前記結像レンズ系が、正のパワーのレンズ群と負のパワーのレンズ群含む複数のレンズ群を有し、各レンズ群間隔を変化させることで変倍を行うズームレンズ系であり、
前記非球面レンズを像面における最大像高に至る主光線が変倍域中で光軸から最も離れるレンズ群中に配することを特徴とする撮像装置。
【請求項９】  前記非球面レンズを最も像側のレンズ群中に配し、以下の条件式（９）を満足することを特徴とする請求項８記載の撮像装置。
８．５＞ｆt ／ＩＨ＞５．８                            ・・・（９）
ただし、ｆt は結像レンズ系の望遠端での合成焦点距離、ＩＨは像面における最大像高である。
【請求項１０】  前記結像レンズ系は明るさ絞りを有し、前記非球面レンズは、前記非球面上の光軸よりレンズ面に沿ってＹmax の７割離れた位置での面の法線が、前記明るさ絞りの配される方向で光軸側に傾き、前記非球面レンズの前記明るさ絞りとは反対側に、前記非球面レンズよりも有効径の大きいレンズが光軸上に空気間隔のみを挟んで隣接して配置されていることを特徴とする請求項６記載の結像レンズ系。
【請求項１１】  前記隣接して配置されたレンズが、前記明るさ絞り側に凹面を向けたメニスカスレンズであり、前記凹面と前記非球面とが空気間隔を挟んで向かい合って配置され、前記非球面と前記凹面とが、周辺付近にて近接されて位置することを特徴とする請求項１０記載の結像レンズ系。
【請求項１２】  前記非球面レンズは、前記明るさ絞り側に凹面を向けたメニスカス形状であることを特徴とする請求項１０又は１１記載の結像レンズ系。
【請求項１３】  前記非球面レンズに隣接するレンズは、前記明るさ絞り側に凹面を向けた負のパワーのメニスカス形状であることを特徴とする請求項１２記載の結像レンズ系。
【請求項１４】  前記主光線が変倍域中で最も光軸から離れるレンズ群が前記ズームレンズ系における最も像側のレンズ群であり、
前記最も像側のレンズ群が負のパワーのレンズ群であり、かつ、光軸上でのパワーが負となる複数の負レンズのみにて構成され、
前記非球面レンズが、前記複数の負レンズの何れかであると共に、周辺に向かうに従って負のパワーから正のパワーに変化する非球面レンズであり、
前記複数の負レンズの中の前記非球面レンズとは異なる少なくとも１枚の負レンズは中心乃至周辺で負のパワーを維持する負レンズであることを特徴とする請求項８記載の撮像装置。
【請求項１５】  前記主光線が変倍域中で最も光軸から離れるレンズ群が前記ズームレンズ系における最も物体側のレンズ群であり、
前記最も物体側のレンズ群が負のパワーのレンズ群であり、かつ、光軸上でのパワーが負となる複数のレンズにて構成され、
最物体側以外に非球面を有するレンズを有し、前記非球面レンズが、前記複数のレンズの何れかであると共に、周辺に向かうに従って次第に強い正のパワーに変化する非球面レンズであり、
前記複数のレンズの中の前記非球面レンズとは異なる少なくとも１枚のレンズは中心乃至周辺で負のパワーを維持する負レンズであることを特徴とする請求項８記載の撮像装置。
【請求項１６】  前記ズームレンズの全レンズ枚数が８枚以下であることを特徴とする請求項８、１４、１５の何れか１項記載の撮像装置。
【請求項１７】  物体側から順に、正のパワーの第１レンズ群、正のパワーの第２レンズ群、負のパワーの第３レンズ群の３つのレンズ群にて構成し、第１レンズ群、第２レンズ群間の間隔が増加し、第２レンズ群、第３レンズ群間の間隔が減少することで広角端から望遠端への変倍を行い、第３レンズ群を光軸上のパワーが負である２枚の負レンズで構成し、以下の条件（１０）、（５）を満足することを特徴とする結像レンズ系。
０．８＜ｄ1 ／Ｄair ＜２．０                        ・・・（１０）
０．５５＜Ｌt ／ｆt ＜０．７１５                      ・・・（５）
ただし、ｄ1 は第３レンズ群の物体側の負レンズの光軸上での肉厚、Ｄair は第３レンズ群の２枚の負レンズの間の空気間隔、Ｌt は結像レンズ系の望遠端における最も物体側の面から像面までの実距離、ｆt は結像レンズ系の望遠端での合成焦点距離である。
【請求項１８】  前記結像レンズ系が、物体側から順に、正のパワーの第１レンズ群、正のパワーの第２レンズ群、負のパワーの第３レンズ群の３つのレンズ群にて構成し、第１レンズ群、第２レンズ群間の間隔が増加し、第２レンズ群、第３レンズ群間の間隔が減少することで広角端から望遠端への変倍を行い、ズーム比が３．３以上であることを特徴とする請求項１から５、８、９の何れか１項記載の撮像装置。
【請求項１９】  前記結像レンズ系が、物体側から順に、正のパワーの第１レンズ群、正のパワーの第２レンズ群、負のパワーの第３レンズ群の３つのレンズ群にて構成し、第１レンズ群、第２レンズ群間の間隔が増加し、第２レンズ群、第３レンズ群間の間隔が減少することで広角端から望遠端への変倍を行い、ズーム比が３．３以上であることを特徴とする請求項６、７、１０から１３の何れか１項記載の結像レンズ系。
【請求項２０】  前記非球面レンズを含む負のパワーのレンズ群は、最も像側のレンズ群であり、かつ、２枚の負レンズで構成されていることを特徴とする請求項３又は４記載の撮像装置。
【請求項２１】  前記結像レンズ系は、正のパワーのレンズ群と負のパワーのレンズ群を含む少なくとも３つのレンズ群を有し、各レンズ群間隔を変化させることで変倍を行うズームレンズ系であり、
少なくとも１つの負のパワーのレンズ群は前記非球面レンズを含み、最も像側に配され、かつ、２枚の負レンズで構成されていることを特徴とする請求項６、７、１０〜１３の何れか１項記載の結像レンズ系。
【請求項２２】  前記２枚の負レンズの中、少なくとも一方の負レンズは、ｄ線での屈折率が１．６以下のプラスチック非球面レンズであり、他方の負レンズは、ｄ線での屈折率が１．６以上のガラスレンズであることを特徴とする請求項２０記載の撮像装置。
【請求項２３】  前記２枚の負レンズの中、少なくとも一方の負レンズは、ｄ線での屈折率が１．６以下のプラスチック非球面レンズであり、他方の負レンズは、ｄ線での屈折率が１．６以上のガラスレンズであることを特徴とする請求項２１記載の結像レンズ系。
【請求項２４】  前記第２レンズ群は、最物体側面が物体側に凹面を向け、かつ、正レンズと負レンズの接合レンズを有し、前記接合レンズの負レンズのｄ線での屈折率をｎd 、アッベ数をνd とするとき以下の条件を満足することを特徴とする請求項５又は１８記載の撮像装置。
１．８５＞ｎd ＞１．７                              ・・・（１１）
６０＞νd ＞４０                                    ・・・（１２）
【請求項２５】  前記第２レンズ群は、最物体側面が物体側に凹面を向け、かつ、正レンズと負レンズの接合レンズを少なくとも１つ有し、前記接合レンズの負レンズのｄ線での屈折率をｎd 、アッベ数をνd とするとき以下の条件を満足することを特徴とする請求項１７又は１９記載の結像レンズ系。
１．８５＞ｎd ＞１．７                              ・・・（１１）
６０＞νd ＞４０                                    ・・・（１２）
【請求項２６】  前記第１レンズ群又は前記第３レンズ群に像面と相似した長辺方向と短辺方向にて長さが異なるフレア絞りを配置し、長辺方向と短辺方向の有害光束の少なくとも一部を遮光したことを特徴とする請求項５、１８、２４何れか１項に記載の撮像装置。